(57)【特許請求の範囲】
【請求項１】
蝋質材でなった筒形蝋の下端部に、非蝋質材からなる蝋燭物品質向上用部品を合体させ且つ、溶蝋塗覆により、その合体物の下半分あたりまでを均一塗覆化することを特徴とする蝋燭用母体部の製造方法。
【請求項２】
請求項１記載の方法により蝋燭用母体部を製造し、さらに蝋燭用母体部を構成する筒形蝋の部分に設けられた挿入穴に、燃芯材を挿入することを特徴とする転成蝋燭の製造方法。
【請求項３】
請求項１記載の方法により製造された蝋燭用の母体部。
【発明の詳細な説明】
【発明の属する技術分野】
【０００１】
本発明は、実質上多面々に特異性を有す、実用新案登録は第２５０３２１２号である蝋燭（以後は，転成蝋燭，と称す）この母体部の構成および製造方法に関する。
【０００２】
【従来の技術】
【０００３】
まず転成蝋燭にあっては、用途、用法、用材、構成、とこれら等々すべての点に特異性ある、よって製造面にもその影響当然にて現れ、極不合理な製造方法を余儀なくされた、でその方法、図７の筒形蝋棒を先造りで用意し、次にＰＬ法上の問題（火災事の防御対策）をにらんだ図１６部品を、逆さセットの図１５未完母体筒形蝋棒の段差穴５部処に詰め入れ、して残余穴の空部へ溶蝋注入を施し、完全内蔵を図り、固化後一定サイズに切り揃え、次工程で底部に燭台ピン利用の凹穴３を新設（図９参照）、それをもって完成体図７物とし、かつ普及へのレールに乗せていた。ところがそうした技法中には母体外観部への重宝性極まる有尊美で量産性的な装飾化の技術、このとり込みや開発等これらが全くにして無かった、よって母体外観の装飾化はコスト問題も絡み諦め妥協この一手にて終始した。
【０００４】
更に、既存蝋燭の大半物に持続ある底部穴絡みの諸問題、つまり燭台ピンとその受け穴のサイズ不一致、この差が大なら不安事誘因の斜め立ち、逆に少なら無理差しによる破損事このような問題は半ば永遠的ともいわれ現況黙々と息づきがある。
【０００５】
【発明が解決しようとする課題】
【０００６】
転成蝋燭は、実質又は構成上において、照明用一途である条件性を脱皮し、真に宗教用具（祈願用）へ属入叶った特異内容の代物である、従ってそうした内容物の外観部には宗教用具の証しともなる見所ある品格味、つまりその旨の尊美さ醸せる装飾化、この施し何があっても欲しかった、ところが上記諸々の事情から当飾化どうあっても不可だった、ついてはその旨の見栄え無き代物は、通常（照明用）蝋燭との区別つかず（図７参照）低評判歴然かつ尊意感も低かった。
【０００７】
あげくに内部処に備したるＰＬ法上絡みの安全性配慮（火災事への防御策）ここに不万全（欠陥）さ在ること確立実験にて判明、ついては内外両処面に問題有し粗悪品イメージが一気に開花した、よって普及性や事業性ここに大支障（普及の中止）及ぼした。
【０００８】
また簡潔無き不合理（多難儀多手間で低生産）製造は、コスト増大これ然りで産出品への高値づけ、このシワ寄せ当然ながらの憑依の悪循環これも営業ブレーキ大だった。
【０００９】
本件発明は、それら諸難題一切を無弊害は容易一括解消に至らす目的をもつ。
【００１０】
【課題を解決するための手段】
【００１１】
まず蝋質材を用い図３内容の未完母体筒形蝋を、そして不燃質材を用いて図５内容の蝋燭物品質向上用部品を、それに弾性質材を用い図１４内容の直立化安定用部品を、以上三品物を事前発注にて用意をす、従って図１４物を詰め済み（図６参照）にした図５物と図３物の二者、これを図１状に合体させ、その合体化物下半分辺りまでを溶蝋中へ瞬的浸しをもって蝋での覆化事施す、以後ピン付きコンベヤーなどに差し立て、固化させ、それをもって完成化母体部（図１物）すなわち完成化製品とす。
【００１２】
よって以上の構成と製造方法を用いれば、要望どおりの洗練内容具これが、意図も簡単に多量数産出ができ得ると断じれるもの、ついては優良品への第一因、母体内に宿る不万全だった策事、つまりＰＬ法上絡みの問題事（火災事への曖昧なる防御対策）これがなんと自動的払拭とあい成る。そして第二因、何よりその旨の尊美さ醸せる彫工的装飾化、これにあっては、母体下半分辺までを蝋で均一覆化に致すので、その物全てが同質材で出来たる製品で在るがごときに錯覚し、結果、あたかも手彫工で施したごときに観え、その旨への高気品なる尊美観これを申し分なく感じ得られるところ。さらには第三の因、母体底穴（燭台ピン利用穴）絡みの問題、すなわち穴が小さくば無理差し等による穴部辺の破損事逆にサイズ差（ガタ）大なるは不安誘因の斜め立ち、これら難事は使用物の材質上無発生での終始当然の成り行きとなる。
【００１３】
そして従来の手法、高価な粗悪品を多難儀し少数量しか造れなかった、ついては普及性かつ事業性これへの貢献ゼロ同然だった、本件発明はそれを容易反転に至らす為の手法事、つまり安価な優良品を容易に多量数産出さすことの目的を可にした、意義高き発明と言えるもの、よって普及性や事業性ここに大貢献をもたらすこと真に直面の日々にある。
【００１４】
【発明の実施の形態】
【００１５】
内部が図４状になった図３未完母体の筒形蝋と、図１４物を詰済みにした図５の蝋燭物品質向上用部品とを図１状に合体化させ、その合体物を溶蝋中へ合体接続部辺に対する諸効果（主に離脱等防止や見栄えの大促進）が程よく得られる域辺まで単純浸しを図り速引き上げ固化に至らす、その際の溶蝋利用色は臨機応変無制限とす。
【００１６】
以下は変化例、図１１形状物を下地に捕った（無捕物構成も実施す）蝋燭物品質向上用部品を非一個式または一部分省略あるいは外縁立ち上がり式などにす、して装飾化にあっては薄材物を別口用意にしその面に絵文字等を施し、それを用って外周部装飾化を行う方法、また場合に応じ蝋覆化も図りさらには紋章付け等も行う。
【００１７】
【発明の効果】
【００１８】
（イ）多作業工程および難儀多様な煩わしさ等これを一括改善ができる。
（ロ）生産率の極高（桁違いのアップ化）実現これが容易にて図れる。
（ハ）外周部に尊美なる飾化を無手間は極低費用（ついで仕事）で付けられる。
（ニ）ＰＬ法関係への対策事（有責任火災事故無発生機能を採用）万全性が可となる。
（ホ）容易量産はコスト大幅減が図れ安価安定の供給これ確実に果たせる。
（ヘ）母体底部穴絡みの欠陥事これを完ぺき解消ができる。
【００１９】
ついては構成面に意表突き変化をもたらした事により、上記事すべてに要望進展が起こり消費側そして提供側この双方に利益多様をもたらす事これ明確強調でき得るもの、以上。
【図面の簡単な説明】
【図１】完成化母体部の全体斜視図。
【図２】図１物の中央処縦切り断面図。
【図３】未完母体筒形蝋の全体斜視図。
【図４】図３物の中央処縦切り断面図。
【図５】飾化済み蝋燭物品質向上用部品の全体斜視図。
【図６】図５物の中央処縦切り断面図。
【図７】従来型完成化母体全体の斜視図。
【図８】図１０物を一枚状に広げた全体図。
【図９】図７物の中央処縦切り断面図。
【図１０】転成蝋燭用の然芯材を細巻きにした状態図。
【図１１】蝋燭物品質向上用部品の原型物で斜視全体図。
【図１２】図１１物の中央処縦切り断面図。
【図１３】図１４物の中央処縦切り断面図。
【図１４】直立化安定用部品の全体斜視図。
【図１５】従来型の末完成母体全体の斜視透視図。
【図１６】従来型ＰＬ法関係対応用部品。
【図１７】図１６物の中央処縦切り断面図。
【符号の説明】
１〜燃芯材の挿入穴。
２〜然芯材受け止め箇所。
３〜燭台ピン利用穴。
４〜抜け出たピン先を中心部に導く制御溝。
５〜従来型ＰＬ法関係部品詰め込み処段差穴。
６〜突出式多役目パイプ部。
７〜突出式多役目パイプ部挿入用固定穴。
８〜点火部。
９〜直立化安定用部品の安置穴。
１０〜雰囲気づくり用の印判。
【図１】
0003697674.tif 000002
【図２】
0003697674.tif 000003
【図３】
0003697674.tif 000004
【図４】
0003697674.tif 000005
【図５】
0003697674.tif 000006
【図６】
0003697674.tif 000007
【図７】
0003697674.tif 000008
【図８】
0003697674.tif 000009
【図９】
0003697674.tif 000010
【図１０】
0003697674.tif 000011
【図１１】
0003697674.tif 000012
【図１２】
0003697674.tif 000013
【図１３】
0003697674.tif 000014
【図１４】
0003697674.tif 000015
【図１５】
0003697674.tif 000016
【図１６】
0003697674.tif 000017
【図１７】
0003697674.tif 000018